(57)【要約】【課題】  監視カメラと少なくとも監視モニタを有する監視装置とを無線を介して接続した場合であっても、映像信号の実時間伝送を行うことができ、且つ不正な第三者による信号傍受も回避することができる監視システムを提供する。【解決手段】  監視システムは、所定の監視場所を撮像可能に設置された監視カメラ装置１０と、所定の管理室に設置され、所定の無線通信方式を用いて監視カメラ装置１０との間で映像信号の授受を行う監視装置２０とを備える。監視カメラ装置１０及び監視装置２０は、映像信号を帯域保証された同期転送通信路及び／又は帯域保証されていない非同期転送通信路を用いて送受信する。【選択図】  図１
2005130401.tif 000002
【特許請求の範囲】
【請求項１】
所定の監視場所を撮像して得られた映像を監視者によって視認して当該監視場所を監視する監視システムであって、
上記監視場所を撮像可能に設置された監視カメラ装置と、
所定の管理室に設置され、所定の無線通信方式を用いて上記監視カメラ装置との間で映像信号の授受を行う監視装置とを備え、
上記監視カメラ装置及び上記監視装置は、映像信号を帯域保証された同期転送通信路及び／又は帯域保証されていない非同期転送通信路を用いて送受信すること
を特徴とする監視システム。
【請求項２】
上記監視カメラ装置は、
上記監視場所を撮像する撮像手段と、
上記撮像手段から供給された映像信号に対して所定の符号化処理を施すカメラ側信号処理手段と、
上記カメラ側信号処理手段から供給された映像信号を上記監視装置に対して送信するカメラ側通信手段とを有し、
上記監視装置は、
上記監視カメラ装置から送信された映像信号を受信する監視装置側通信手段と、
上記監視装置側通信手段によって受信した映像信号に対して符号化処理に対応した所定の復号処理を施す監視装置側信号処理手段と、
上記監視装置側信号処理手段から供給された上記監視場所の映像を表示する表示手段と、
上記監視装置側信号処理手段から供給された上記監視場所の映像信号を記憶する記憶手段とを有すること
を特徴とする請求項１記載の監視システム。
【請求項３】
上記カメラ側信号処理手段は、映像信号を送信する上記同期転送通信路及び／又は上記非同期転送通信路の帯域に基づいて許容されるフレームレートで当該映像信号に対して符号化処理を施すこと
を特徴とする請求項２記載の監視システム。
【請求項４】
上記カメラ側信号処理手段は、上記撮像手段によって撮像された映像信号について動き検知処理を行い、動きが検知された場合にのみ、当該映像信号を上記監視装置に対して送信するように制御すること
を特徴とする請求項２記載の監視システム。
【請求項５】
上記無線通信方式は、ブルートゥースであり、
上記同期転送通信路は、上記ブルートゥースで規定されている同期コネクション指向リンクチャネルであり、
上記非同期転送通信路は、上記ブルートゥースで規定されている非同期コネクションレスリンクチャネルであること
を特徴とする請求項１記載の監視システム。
【請求項６】
所定の監視場所を撮像可能に設置された監視カメラ装置と、所定の管理室に設置された監視装置との間で映像信号の授受を行い、当該監視場所の映像を監視者によって視認可能とする映像信号送受信方法であって、
上記監視カメラ装置及び上記監視装置は、所定の無線通信方式を用いて映像信号の授受を行う際に、当該映像信号を帯域保証された同期転送通信路及び／又は帯域保証されていない非同期転送通信路を用いて送受信すること
を特徴とする映像信号送受信方法。
【請求項７】
所定の監視場所を撮像可能に設置され、所定の管理室に設置された監視装置との間で映像信号の授受を行い、当該監視場所の映像を監視者によって視認可能とする監視カメラ装置であって、
上記監視場所を撮像する撮像手段と、
上記撮像手段から供給された映像信号に対して所定の符号化処理を施す信号処理手段と、
上記信号処理手段から供給された映像信号を上記監視装置に対して送信する通信手段とを備え、
上記通信手段は、映像信号を帯域保証された同期転送通信路及び／又は帯域保証されていない非同期転送通信路を用いて送信すること
を特徴とする監視カメラ装置。
【請求項８】
所定の管理室に設置され、所定の監視場所を撮像可能に設置された監視カメラ装置との間で映像信号の授受を行い、当該監視場所の映像を監視者によって視認可能とする監視装置であって、
上記監視カメラ装置から送信された映像信号を受信する通信手段と、
上記通信手段によって受信した映像信号に対して符号化処理に対応した所定の復号処理を施す信号処理手段と、
上記信号処理手段から供給された上記監視場所の映像を表示する表示手段と、
上記信号処理手段から供給された上記監視場所の映像信号を記憶する記憶手段とを備え、
上記通信手段は、映像信号を帯域保証された同期転送通信路及び／又は帯域保証されていない非同期転送通信路を用いて受信すること
を特徴とする監視装置。
【発明の詳細な説明】
【技術分野】
【０００１】
本発明は、所定の監視場所を撮像して得られた映像を監視者によって視認して当該監視場所を監視する監視システム、及びこの監視システムに適用される映像信号送受信方法、並びに、所定の監視場所を撮像する監視カメラ装置、及び監視カメラ装置によって撮像された映像を監視者によって視認可能とする監視装置に関する。
【背景技術】
【０００２】
従来から、家屋の玄関先や店舗内等に設置された監視カメラによって撮像された映像を所定の監視モニタを介して視認することにより、所定の監視対象を監視する監視システムが知られている。この種のシステムにおいては、近距離で映像信号の実時間伝送を行うために、所定の有線ケーブルを介して監視カメラと監視モニタとを接続するものが多い（例えば、特許文献１参照。）。
【０００３】
【特許文献１】特開２００３−１１６１２４号公報
【０００４】
具体的には、この特許文献１には、監視所望箇所を撮像する複数の監視カメラと、これら監視カメラに電力を供給し、監視カメラが撮像した映像を表示する画像モニタとを備えた監視カメラシステムが開示されている。特に、この監視カメラシステムは、監視カメラと接続する伝送路の距離に比例して増加する伝送損失による降下電圧を補償し、監視カメラに供給する電力の出力電圧を一定に保つ定電圧回路と、この定電圧回路から出力された出力電流を一定に保つ定電流回路と、定電圧回路と定電流回路とを監視カメラ毎に複数備え、さらに、各定電圧回路が供給する電力の総和が補償範囲内になるように制御する制御手段と、電力を供給する電源回路から出力された電流を検出する電流検出回路とを備えたものである。そして、この監視カメラシステムにおいては、電流検出回路によって検出された電流値にしたがって、各定電圧回路を制御手段によって制御することにより、各監視カメラの伝送路の長さを、一律に設定するのではなく、総和の制限値内で任意に設定することができるとしている。
【発明の開示】
【発明が解決しようとする課題】
【０００５】
ところで、特許文献１をはじめとし、有線ケーブルを介して映像信号の伝送を行う従来の監視システムにおいては、配線の際に物理的な工事を行う必要がある、という回避不可能な問題があり、この問題は、既設装置の代替を行う際の大きなネックとなっている。
【０００６】
また、有線ケーブルを介して映像信号の伝送を行う監視システムにおいては、配線を行うために、建物等の隔壁に孔を穿設し、当該孔を介してケーブルを連通する必要があることから、例えば、クリーンルーム、放射線遮蔽壁、気密室等に対して設置することは困難であるという問題もあった。
【０００７】
さらに、有線ケーブルを介して映像信号の伝送を行う監視システムにおいては、上述した物理的な工事に関連する問題の他、有線ケーブルを介して電気的に監視カメラと監視モニタとを接続することから、伝送路の両端において絶縁対策や雑音対策を施す必要がある、という問題がある。すなわち、有線ケーブルを介して映像信号の伝送を行う監視システムにおいては、これら絶縁対策や雑音対策を施さない場合には、特に屋外の監視場所に設置された監視カメラと所定の管理室に設置された監視モニタとの間で映像信号の伝送を行う際に、監視カメラに落雷等による感電や雑音といった電気的影響を及ぼす可能性があった。
【０００８】
ここで、これらの問題を払拭するために、監視カメラと監視モニタとの間で無線通信を行うことにより、映像信号の伝送を行うことが考えられる。しかしながら、監視システムにおいては、物理的な有線ケーブルを介した映像信号の伝送を行う場合には、明示的に伝送範囲が規定されることから不正な第三者による信号傍受は発生しないものの、無線通信を適用した場合には、電波到達範囲に属する不正な第三者による信号傍受の問題が発生する危険性がある。この問題は、無線化によって得られる有意性以上の損失をもたらす可能性があることから無視できるものではない。
【０００９】
本発明は、このような実情に鑑みてなされたものであり、監視カメラと少なくとも監視モニタを有する監視装置とを無線を介して接続した場合であっても、映像信号の実時間伝送を行うことができ、且つ不正な第三者による信号傍受も回避することができる監視システム及びこの監視システムに適用される映像信号送受信方法、並びにこの監視システムに用いられる監視カメラ装置及び監視装置を提供することを目的とする。
【課題を解決するための手段】
【００１０】
上述した目的を達成する本発明にかかる監視システムは、所定の監視場所を撮像して得られた映像を監視者によって視認して当該監視場所を監視する監視システムであって、上記監視場所を撮像可能に設置された監視カメラ装置と、所定の管理室に設置され、所定の無線通信方式を用いて上記監視カメラ装置との間で映像信号の授受を行う監視装置とを備え、上記監視カメラ装置及び上記監視装置は、映像信号を帯域保証された同期転送通信路及び／又は帯域保証されていない非同期転送通信路を用いて送受信することを特徴としている。
【００１１】
このような本発明にかかる監視システムは、映像信号について、帯域保証された同期転送通信路及び／又は帯域保証されていない非同期転送通信路を用いた送受信を行うことにより、無線による映像信号の実時間伝送を行うことができる。
【００１２】
具体的には、上記監視カメラ装置は、上記監視場所を撮像する撮像手段と、上記撮像手段から供給された映像信号に対して所定の符号化処理を施すカメラ側信号処理手段と、上記カメラ側信号処理手段から供給された映像信号を上記監視装置に対して送信するカメラ側通信手段とを有するものとして構成することができる。また、上記監視装置は、上記監視カメラ装置から送信された映像信号を受信する監視装置側通信手段と、上記監視装置側通信手段によって受信した映像信号に対して符号化処理に対応した所定の復号処理を施す監視装置側信号処理手段と、上記監視装置側信号処理手段から供給された上記監視場所の映像を表示する表示手段と、上記監視装置側信号処理手段から供給された上記監視場所の映像信号を記憶する記憶手段とを有するものとして構成することができる。
【００１３】
ここで、上記カメラ側信号処理手段は、映像信号を送信する上記同期転送通信路及び／又は上記非同期転送通信路の帯域に基づいて許容されるフレームレートで当該映像信号に対して符号化処理を施す。
【００１４】
これにより、本発明にかかる監視システムにおいては、使用する帯域に応じた適切なフレームレートで映像信号を送受信することができる。
【００１５】
また、上記カメラ側信号処理手段は、上記撮像手段によって撮像された映像信号について動き検知処理を行い、動きが検知された場合にのみ、当該映像信号を上記監視装置に対して送信するように制御することもできる。
【００１６】
これにより、本発明にかかる監視システムにおいては、無駄な映像信号を監視装置における記憶手段に記憶する必要がないため、記憶手段として、必要最小限の記憶容量を有するものを用いればよく、当該記憶手段に要するコストの削減を図ることができる。
【００１７】
なお、上記無線通信方式としては、ブルートゥースを適用することが望ましい。すなわち、上記同期転送通信路は、上記ブルートゥースで規定されている同期コネクション指向リンクチャネルであり、上記非同期転送通信路は、上記ブルートゥースで規定されている非同期コネクションレスリンクチャネルであることが望ましい。
【００１８】
このように、本発明にかかる監視システムにおいては、秘話性の高い保証をベースバンドチップでハードウェア的に行うブルートゥースを用いて映像信号の送受信を行うことにより、秘話性の確保にともなう処理による負担を少なくすることができることから、他の無線通信方式を適用した場合に比べ、性能を犠牲にすることなく高い秘話性を確保することができる。
【００１９】
また、上述した目的を達成する本発明にかかる映像信号送受信方法は、所定の監視場所を撮像可能に設置された監視カメラ装置と、所定の管理室に設置された監視装置との間で映像信号の授受を行い、当該監視場所の映像を監視者によって視認可能とする映像信号送受信方法であって、上記監視カメラ装置及び上記監視装置は、所定の無線通信方式を用いて映像信号の授受を行う際に、当該映像信号を帯域保証された同期転送通信路及び／又は帯域保証されていない非同期転送通信路を用いて送受信することを特徴としている。
【００２０】
このような本発明にかかる映像信号送受信方法は、映像信号について、帯域保証された同期転送通信路及び／又は帯域保証されていない非同期転送通信路を用いた送受信を行うことにより、無線による映像信号の実時間伝送を行うことが可能となる。
【００２１】
さらに、上述した目的を達成する本発明にかかる監視カメラ装置は、所定の監視場所を撮像可能に設置され、所定の管理室に設置された監視装置との間で映像信号の授受を行い、当該監視場所の映像を監視者によって視認可能とする監視カメラ装置であって、上記監視場所を撮像する撮像手段と、上記撮像手段から供給された映像信号に対して所定の符号化処理を施す信号処理手段と、上記信号処理手段から供給された映像信号を上記監視装置に対して送信する通信手段とを備え、上記通信手段は、映像信号を帯域保証された同期転送通信路及び／又は帯域保証されていない非同期転送通信路を用いて送信することを特徴としている。
【００２２】
このような本発明にかかる監視カメラ装置は、映像信号について、帯域保証された同期転送通信路及び／又は帯域保証されていない非同期転送通信路を用いた送信を行うことにより、監視装置との間で無線による映像信号の実時間伝送を行うことが可能となる。
【００２３】
さらにまた、上述した目的を達成する本発明にかかる監視装置は、所定の管理室に設置され、所定の監視場所を撮像可能に設置された監視カメラ装置との間で映像信号の授受を行い、当該監視場所の映像を監視者によって視認可能とする監視装置であって、上記監視カメラ装置から送信された映像信号を受信する通信手段と、上記通信手段によって受信した映像信号に対して符号化処理に対応した所定の復号処理を施す信号処理手段と、上記信号処理手段から供給された上記監視場所の映像を表示する表示手段と、上記信号処理手段から供給された上記監視場所の映像信号を記憶する記憶手段とを備え、上記通信手段は、映像信号を帯域保証された同期転送通信路及び／又は帯域保証されていない非同期転送通信路を用いて受信することを特徴としている。
【００２４】
このような本発明にかかる監視装置は、映像信号について、帯域保証された同期転送通信路及び／又は帯域保証されていない非同期転送通信路を用いた受信を行うことにより、監視カメラ装置との間で無線による映像信号の実時間伝送を行うことが可能となる。
【発明の効果】
【００２５】
本発明は、監視カメラ装置と監視装置とを接続する手段として有線ケーブルを用いる必要がないことから、設置にともなう物理的な工事を施す必要がなくなり、また、無線通信を行うことによって電気的影響に関する問題及び不正な第三者による信号傍受に関する問題も解消することができる。
【発明を実施するための最良の形態】
【００２６】
以下、本発明を適用した具体的な実施の形態について図面を参照しながら詳細に説明する。
【００２７】
この実施の形態は、所定の監視場所を撮像して得られた映像を所定の監視モニタを介して視認して当該監視場所を監視する監視システムである。この監視システムは、所定の監視場所を撮像可能に設置された監視カメラ装置と所定の管理室に設置された監視装置との間で映像信号を伝送する際に、所定の近距離無線通信方式を用いて情報の授受を行うものである。
【００２８】
なお、この近距離無線通信方式としては、いわゆるブルートゥース（Bluetooth（登録商標））を適用することが好適である。したがって、以下では、監視カメラ装置と監視装置との間でブルートゥースに準拠した無線通信を行うものとして説明する。
【００２９】
監視システムは、図１に示すように、家屋の玄関先や店舗内等の所定の監視場所を撮像可能に設置された監視カメラ装置１０と、所定の管理室に設置された監視装置２０とを備える。
【００３０】
監視カメラ装置１０は、少なくとも、監視場所を撮像する撮像手段であるカメラ１１と、このカメラ１１によって撮像された映像信号に対して所定の信号処理を施すカメラ側信号処理手段である信号処理回路１２と、ブルートゥースに準拠したプロトコルにしたがって映像信号の送信を行うカメラ側通信手段であるブルートゥース・モジュール１３とを有する。
【００３１】
カメラ１１は、例えばＣＣＤ（Charge Coupled Devices）カメラやＣＭＯＳ（Complementary Metal-Oxide Semiconductor）カメラ等を用いて構成され、設置された位置から所定の視野角をもって監視場所を撮像する。また、カメラ１１としては、暗視対応用に赤外線カメラ等を用いて構成することもできる。このカメラ１１によって撮像されて得られた映像信号は、信号処理回路１２に供給される。
【００３２】
信号処理回路１２は、カメラ１１から供給された映像信号に対して、例えば画素相関や動作予測等に基づいた所定の符号化方式を用いて符号化処理を施す。このとき、信号処理回路１２は、ブルートゥース・モジュール１３によって映像信号を送信するチャネルの帯域に基づいて許容されるフレームレートで符号化処理を施す。この信号処理回路１２によって符号化された映像信号は、ブルートゥース・モジュール１３に供給される。
【００３３】
ブルートゥース・モジュール１３は、電波を授受するためのアンテナ１４に接続されており、信号処理回路１２から供給されたベースバンドの映像信号をＲＦ（Radio Frequency）信号に変換した上でアンテナ１４を介して送信する。このとき、ブルートゥース・モジュール１３は、詳細は後述するが、ブルートゥースで規定されているいわゆるＳＣＯ（Synchronous Connection Oriented link；同期コネクション指向リンク）チャネル及び／又はいわゆるＡＣＬ（Asynchronous Connection Less link；非同期コネクションレスリンク）チャネルを用いて映像信号を送信する。
【００３４】
一方、監視装置２０は、監視者ＯＢが存在する所定の管理室に設置されるものであり、少なくとも、ブルートゥースに準拠したプロトコルにしたがって映像信号の受信を行う監視装置側通信手段であるブルートゥース・モジュール２２と、映像信号に対して所定の信号処理を施す監視装置側信号処理手段である信号処理回路２３と、監視カメラ装置１０から伝送された監視場所の映像を表示する表示手段である監視モニタ２４と、監視カメラ装置１０から伝送された監視場所の映像信号を記憶する記憶手段である記憶部２５とを有する。
【００３５】
ブルートゥース・モジュール２２は、電波を授受するためのアンテナ２１に接続されており、監視カメラ装置１０におけるブルートゥース・モジュール１３とハンドシェイク接続してＳＣＯチャネル及び／又はＡＣＬリンクを確立することにより、監視カメラ装置１０と監視装置２０との間での無線通信を実現する。すなわち、ブルートゥース・モジュール２２は、アンテナ２１を介して監視カメラ装置１０から受信したＲＦ信号をベースバンドの映像信号に変換した上で信号処理回路２３に供給する。このとき、ブルートゥース・モジュール２２は、上述したように、ＳＣＯチャネル及び／又はＡＣＬチャネルを用いて映像信号を受信する。
【００３６】
信号処理回路２３は、監視場所を撮像することによって監視カメラ装置１０から伝送された映像信号に対して符号化処理に対応した所定の復号処理を施し、得られた映像を監視モニタ２４を介して表示させるとともに、記憶部２５に記憶させる。
【００３７】
監視モニタ２４は、例えばＬＣＤ（Liquid Crystal Display）やＣＲＴ（Cathode Ray Tube）等を用いて構成され、信号処理回路２３によって所定の復号処理が施されて得られた映像を表示する。これにより、監視者ＯＢは、監視場所の様子を視認することが可能となる。
【００３８】
記憶部２５は、例えばハードディスクやこれらハードディスクを複数台用いていわゆるＲＡＩＤ（Redundant Arrays of Independent (Inexpensive) Disks）構成とした装置、又はいわゆるＤＶＤ（Digital Versatile Disc）をはじめとする各種記憶媒体に対する情報の記録を行う装置等を用いて構成され、信号処理回路２３によって所定の復号処理が施されて得られた映像信号又は符号化処理が施されたままの映像信号を記憶する。
【００３９】
このような監視カメラ装置１０と監視装置２０とを備える監視システムにおいては、監視カメラ装置１０によって常時監視場所が撮像され、得られた監視場所の映像信号が監視装置２０に対して送信される。このとき、監視カメラ装置１０は、上述したＳＣＯチャネル及び／又はＡＣＬチャネルを用いて映像信号を送信する。
【００４０】
これにより、監視システムにおいては、監視者ＯＢが監視モニタ２４に表示される映像又は記憶部２５に記憶されている映像を視認することによって監視場所を監視することが可能となる。
【００４１】
なお、監視システムにおいては、監視カメラ装置１０によって常時監視場所を撮像するものの、得られた全ての映像信号を監視装置２０に対して送信するのではなく、画像内の動きを検知した場合にのみ、映像信号を監視装置２０に対して送信するように制御してもよい。すなわち、監視カメラ装置１０は、カメラ１１によって撮像された映像信号について、以前のフレームに対する輝度変化等に基づく動き検知処理を行い、所定の閾値以上の動きが検知された場合にのみ、監視装置２０に対して映像信号を送信する。このとき、監視カメラ装置１０は、以前のフレームとの差分信号のみを送信することにより、帯域の有効利用を図ることができる。
【００４２】
また、監視カメラ装置１０は、動きを検知すると、その旨を示す制御信号を監視装置２０に対して送信するのが望ましく、これに応じて、監視装置２０は、モニタ２４や記憶部２５を起動し、映像信号を取り込み可能な動作状態に移行する。このとき、監視装置２０は、監視者ＯＢの注意を喚起すべく、制御信号に応じて、図示しないスピーカを介して所定の警報音を発生するようにしてもよい。なお、監視カメラ装置１０は、制御信号については、ＳＣＯチャネルを用いて送信すればよい。
【００４３】
これにより、監視システムにおいては、無駄な映像信号を記憶部２５に記憶する必要がないため、記憶部２５として、必要最小限の記憶容量を有するものを用いればよく、当該記憶部２５に要するコストの削減を図ることができる。
【００４４】
さて、このような監視システムにおいては、上述したように、ブルートゥースで規定されているＳＣＯチャネル及び／又はＡＣＬチャネルを用いて、監視カメラ装置１０と監視装置２０との間での映像信号の送受信を行う。
【００４５】
ＳＣＯチャネルは、帯域保証された同期転送通信路であり、その帯域幅が６４ｋｂｐｓで固定されているものである。したがって、ＳＣＯチャネルは、実時間性を要求される情報の伝送に適したものである。一方、ＡＣＬチャネルは、帯域保証されていない非同期転送通信路であり、ＳＣＯチャネルを１チャネル確立した場合には、その最大帯域幅が５８５．６ｋｂｐｓとなり、ＳＣＯチャネルを２チャネル確立した場合には、その最大帯域幅が１７２．８ｋｂｐｓとなるものである。
【００４６】
監視システムにおいては、これら２つのチャネルのうち、帯域保証されたＳＣＯチャネルを用いて、映像信号を多重化して送受信することが望ましい。しかしながら、ＳＣＯチャネルは、６４ｋｂｐｓの帯域幅で固定されていることから、現実的には映像信号を送信するには十分ではない。
【００４７】
そこで、監視システムにおいては、基本的にはＳＣＯチャネルを用いて映像信号の送受信を行うものの、帯域が不足する分についてはＡＣＬチャネルを用いて送受信を行うものとする。具体的には、監視システムにおいては、監視カメラ装置１０から監視装置２０に対する伝送方向を下りチャネルとすると、上りチャネルについては、監視カメラ装置１０の姿勢制御等に用いる制御信号といった情報量が小さい信号を送信するのに用いられるのみであることから、映像信号の送受信のために最大で７２３．２ｋｂｐｓの帯域を確保することができることになり、高速な伝送を行うことが可能となる。
【００４８】
ここで、監視システムにおいては、ＳＣＯチャネルを用いる場合には、所定のクロックに同期して映像信号が送受信されることから同期化は不要である。一方、ＡＣＬチャネルは、パケットロス等が生じるのに応じて再送制御等を行うことから、監視システムにおいては、ＳＣＯチャネルとＡＣＬチャネルとを併用する場合には、送信側の符号化の際にタイミングの制御を行う必要がある。すなわち、監視システムにおいては、ＡＣＬチャネルを用いて映像信号の送受信を行う場合には、監視カメラ装置１０における信号処理回路１２によって映像信号の送信タイミングを制御することになる。
【００４９】
このように、監視システムにおいては、映像信号について、帯域保証されたＳＣＯチャネル及び／又は帯域保証されていないＡＣＬチャネルを用いた送受信を行うことにより、従来では不可能であった無線による映像信号の実時間伝送を行うことが可能となる。
【００５０】
実際に、本件出願人は、このような監視システムを試作し、映像信号の送受信を試みた。試作したシステムは、いわゆるパラレル／シリアル変換及び／又はシリアル／パラレル変換を行うデバイスであるＵＡＲＴ（Universal Asynchronous Receiver Transmitter）インターフェースと映像用の入出力端子とを有するソニーケミカル株式会社製のブルートゥース・モジュールを、上述したブルートゥース・モジュール１３，２２として用いるとともに、ＵＲＡＴインターフェースとＵＳＢ（Universal Serial Bus）インターフェースとを有するいわゆるＰＣ／１０４規格のプロセッサボード（シングルボードコンピュータ）を、上述した信号処理回路１２，２３として用い、これらブルートゥース・モジュールとプロセッサボードとをＵＡＲＴインターフェースを介して接続し、さらに、ＵＳＢインターフェースを介して、カメラ、及び液晶モニタをプロセッサボードに対して接続して構成した。そして、映像信号については、プロセッサボード上に実装した所定のソフトウェアを実行することによって符号化処理及び復号処理を行った。
【００５１】
この結果、試作したシステムにおいては、映像信号について、ＳＣＯチャネル及び／又はＡＣＬチャネルを用いて数フレーム／秒乃至数十フレーム／秒のフレームレートで送受信することができ、違和感のない映像をモニタに表示することができた。
【００５２】
以上説明したように、本発明の実施の形態として示す監視システムにおいては、映像信号について、帯域保証されたＳＣＯチャネル及び／又は帯域保証されていないＡＣＬチャネルを用いた送受信を行うことにより、無線による映像信号の実時間伝送を行うことができる。したがって、この監視システムにおいては、監視カメラ装置１０と監視装置２０とを接続する手段として有線ケーブルを用いる必要がないことから、設置にともなう物理的な工事を施す必要がなくなり、また、無線通信を行うことによって電気的影響に関する問題及び不正な第三者による信号傍受に関する問題も解消することができる。
【００５３】
特に、この監視システムにおいては、秘話性の高い保証をベースバンドチップでハードウェア的に行うブルートゥースを用いて映像信号の送受信を行うことにより、秘話性の確保にともなう処理による負担を少なくすることができることから、他の無線通信方式を適用した場合に比べ、性能を犠牲にすることなく高い秘話性を確保することができる。
【００５４】
なお、本発明は、上述した実施の形態に限定されるものではない。例えば、上述した実施の形態では、ブルートゥースを用いた無線通信を行うものとして説明したが、本発明は、少なくとも映像信号を帯域保証された同期転送通信路及び／又は帯域保証されていない非同期転送通信路を用いて送受信することができる無線通信方式であれば、ブルートゥース以外の任意の技術を適用することができる。
【００５５】
また、上述した実施の形態では、１台の監視カメラ装置１０と１台の監視装置２０とを接続するものとして説明したが、本発明は、複数台の監視カメラ装置を監視装置と接続する場合にも容易に拡張することができる。
【００５６】
特に、ブルートゥースにおいては、１台のマスタに対して最大７台のスレーブを接続することによって「ピコネット」と称される１つのネットワークを構成し、このピコネット内でデータの送受信を行うことができる。また、ブルートゥースにおいては、ピコネットを数珠つなぎにすることによって「スキャッタネット」と称されるさらに大規模なネットワークを構成することもできる。本発明は、このようなブルートゥースを適用することにより、監視カメラ装置を複数台設け、これら監視カメラ装置を監視装置と接続するようなシステムを極めて容易に構築することができ、また、監視装置から他の装置へと転送するようなシステムも容易に構築することができ、極めて優れた利便を提供することができる。
【００５７】
さらに、近年のブルートゥースによる通信機能を備えた携帯電話機や携帯情報端末機（Personal Digital Assistants；ＰＤＡ）等の開発を鑑みて、本発明は、監視装置を屋内に据え置きするのではなく、これら携帯型の機器に適用することにより、より利便を向上させたシステムの構築を図ることが可能となると思われる。
【００５８】
このように、本発明は、その趣旨を逸脱しない範囲で適宜変更が可能であることはいうまでもない。
【図面の簡単な説明】
【００５９】
【図１】本発明の実施の形態として示す監視システムの構成を説明する図である。
【符号の説明】
【００６０】
１０  監視カメラ装置
１１  カメラ
１２，２３  信号処理回路
１３，２２  ブルートゥース・モジュール
１４，２１  アンテナ
２０  監視装置
２４  モニタ
２５  記憶部
【図１】
2005130401.tif 000003